(57)【要約】      （修正有）【課題】ゴルフボールの打撃時、ゴルフティーに加えられる衝撃を弾性のあるゴム紐が相殺させながらゴルフティーが元の場所に戻るようにして、ゴルフティーが遠くに飛んでいくのを防止でき、ゴルフティーの識別と回収が容易で、ゴルフティーの紛失を防止可能なゴルフティーセットを提供する。【解決手段】ロングティー１０とショートティー４０のゴルフティーを含むゴルフティーセットにおいて、軟質の合成樹脂からなり、ティー本体の外周面の全体に複数個の筋羽根１１ａが長手方向に形成され、下端にとがっている挿入具１３が形成されて地面に挿して使用するロングティーは軟質の合成樹脂からなり、上部にゴルフボールを載せる安着台４１と安着台を支える支え台４２が形成され、中間がくびれた形態を有するショートティー、及びロングティーとショートティーとを連結してティーショット後にゴルフティーの紛失を防止する機能を有する弾力のあるゴム紐３０を含む。【選択図】図２ｂ
0003189371.tif 000002
【実用新案登録請求の範囲】
【請求項１】
ロングティーとショートティーのゴルフティーを含むゴルフティーセットにおいて、
軟質の合成樹脂からなり、ティー本体の外周面の全体には地面に挿入する時に撓まないで力を加えることができるように複数個の筋羽根が長手方向に形成され、下端にとがっていた挿入具が形成されて地面に挿して使用するロングティーと、
軟質の合成樹脂からなるショートティーと、
前記ロングティーと前記ショートティーとを連結してティーショット後にゴルフティーの紛失を防止する機能をする弾力のあるゴム紐と、
内部に挿入ホールが形成され、前面にボールマーカーのマーカー突起が後面に備えられた支持板に突出形成され、内側が凹入形成された支持具と前記挿入ホールを通じて着脱可能に締結され、前・後面のうち、少なくとも一面に挿入溝が形成され、前記挿入溝には字や絵が印刷された挿入板が挿入付着され、前記ゴム紐が連結される連結具が外側に突出形成されたディボットツールと、
を含むことを特徴とする、ゴルフティーセット。
【考案の詳細な説明】
【技術分野】
【０００１】
本考案はゴルフ練習や競技中に使われるゴルフティーに関し、ゴルフボールを地面から一定の高さぐらい空けて置いてティーショットをすることに使われるゴルフティーが含まれたゴルフティーセットに関するものである。
【背景技術】
【０００２】
一般に、ゴルフ競技は毎ホール毎にティー地点で始めて、ゴルファーはゴルフボールをグリーンやグラウンドなどの地面から一定の高さぐらい空けて置いてティーショットをすることによって、スイング時に地面の干渉を最小化してゴルフボールの飛距離を増やすことにゴルフティーを使用しているが、このためにゴルフティーを地面に挿入して挿して前記ゴルフティーの上にゴルフボールを載せた後にティーショットをするようになる。
【０００３】
例えば、図1に示すように、従来のゴルフティー１として、大韓民国内実用新案登録第２０−３１４１７９号には本体支え台２と積層支え台３とを連結紐４で連結した状態で、前記本体支え台２と積層支え台３とを結合して使用する場合、ロングティーの役割をし、これらを互いに分離して前記本体支え台２を使用する場合、ショートティーの役割をするようにしたゴルフティーが開示されている。
【０００４】
しかしながら、ゴルフクラブによりゴルフボールが打撃される瞬間、その衝撃によりゴルフティーは地面から離脱して飛んで行くようになるが、この際、ゴルフティー自体が小さくて細い形態を有しているので、容易に目につかなくて識別が困難であり、ゴルフティーの重さが軽くて比較的遠い距離を飛んで行くようになり、飛んで行く方向も一定でないのでゴルフティーの回収に相当な距離を歩いたり多くの時間を消費しなければならず、甚だしくはゴルフティーを探せなくて紛失するようになって、機嫌を損ねるようになり、経済的にも負担になるようになり、このような紛失に備えて多数個のゴルフティーを共に携帯しなければならないという問題がある。
【０００５】
また、ゴルフティーは地面から突出した高さによってロングティー（Long golf tee）、ミドルティー（Middle golf tee）、及びショートティー（Short golf tee）などのサイズを有するが、ゴルファーはこのうちから選択された少なくとも２種類以上を携帯した状態でティーショット場所及びグラウンドの条件によって適当なサイズのゴルフティーを選択的に使用しているが、これによって多種のゴルフティーを共に携帯することが不便であり、毎度異なるサイズを有するゴルフティーを取り出して使用することが面倒であり、不注意による紛失の虞も大きいという問題がある。
【０００６】
そして、従来にはゴルフ競技中にグリーンでゴルフボールの位置を表示するために使われるボールマーカーをゴルフティーとは別途にポケットなどに入れて保管及び携帯して使用してきているが、そのサイズが小さくて毎度取り出して使用ことが面倒であり、紛失の危険もあるので、携帯及び使用が不便であるという問題がある。
【考案の概要】
【考案が解決しようとする課題】
【０００７】
本考案は、前述した問題を解決するために案出したものであって、ゴルフボールの打撃時、ゴルフティーに加えられる衝撃を弾性のあるゴム紐が相殺させながらゴルフティーが元の場所に戻るようにして、ゴルフティーが遠く飛んで行くことを防止することができ、ゴルフティーの識別と回収が容易であり、ゴルフティーの紛失を防止することができるゴルフティーセットの提供をその目的とする。
【０００８】
また、サイズの異なる２つのゴルフティーを１つのゴム紐に連結してロングショットやショートショットなどに対応して選択的に便利に使用することができることにもその目的がある。
【０００９】
そして、突出片を用いて凹んでいるグリーンの補修とティーショットの方向指示に使用することができることにもその目的がある。
【００１０】
延いては、ボールマーカーをディボットツールに着脱可能に付着してゴルフティーと一緒に携帯及び使用が簡便であるようにしたことにもその目的がある。
【課題を解決するための手段】
【００１１】
前記課題を解決するために、本考案は、ロングティーとショートティーのゴルフティーを含むゴルフティーセットにおいて、軟質の合成樹脂からなり、ティー本体の外周面の全体に複数個の筋羽根が長手方向に形成され、下端にとがっている挿入具が形成されて地面に挿して使用するロングティー、軟質の合成樹脂からなり、上部にゴルフボールを載せる安着台と前記安着台を支える支え台が形成され、中間がくびれた形態を有するショートティー、及び前記ロングティーとショートティーとを連結してティーショット後にゴルフティーの紛失を防止する機能をする弾力のあるゴム紐を含むゴルフティーセットを提供する。
【００１２】
この際、内部に挿入ホールが形成され、前面にボールマーカーのマーカー突起が後面に備えられた支持板に突出形成され、内側が凹入形成された支持具と前記挿入ホールを通じて着脱可能に締結され、前・後面のうち、少なくとも一面に挿入溝が形成され、前記挿入溝には字や絵が印刷された挿入板が挿入付着され、ゴム紐が連結される連結具が外側に突出形成されたディボットツールをさらに含むことにもその特徴がある。
【００１３】
また、前記ディボットツールは一側に突出片が形成されていることにもその特徴がある。
【００１４】
だけでなく、前記突出片は二股からなることにもその特徴がある。
【考案の効果】
【００１５】
本考案によれば、ゴルフボール打撃時、ゴルフティーに加えられる衝撃を弾力のあるゴム紐が相殺させながらゴルフティーが元の場所に戻るようにして、ゴルフティーが遠く飛んで行くことを防止することができ、ゴルフティーの識別と回収が容易であり、ゴルフティーの紛失を防止することができる効果がある。
【００１６】
また、サイズの異なる２つのゴルフティーを１つのゴム紐に連結してロングショットやショートショットなどに対応して選択的に便利に使用することができる。
【００１７】
そして、突出片を用いて凹んでいるグリーンの補修とティーショットの方向指示に使用することができる。
【００１８】
延いては、ボールマーカーをディボットツールに着脱可能に付着してゴルフティーと一緒に携帯及び使用が簡便であるという効果がある。
【図面の簡単な説明】
【００１９】
【図１】従来のゴルフティーの一例を示す斜視図である。
【図２ａ】本考案の実施形態に従うゴルフティーセットの斜視図である。
【図２ｂ】本考案の実施形態に従うゴルフティーセットの斜視図である。
【図３】本考案の実施形態に従うゴルフティーセットのディボットツールの構成を示す平面図である。
【図４ａ】本考案の実施形態に従うゴルフティーセットを用いたティーショット時の使用状態図である。
【図４ｂ】本考案の実施形態に従うゴルフティーセットを用いたティーショット時の使用状態図である。
【考案を実施するための形態】
【００２０】
本考案者は、従来のゴルフティーが識別及び回収が困難であり、容易に紛失することがあり、種々のサイズを有するゴルフティーを共に携帯することが不便であり、ボールマーカーをゴルフティーと別途に保管及び携帯することによって携帯及び使用が不便であるという問題があることを認知し、これを解決するために研究及び努力を繰り返した結果、ゴルフボール打撃時、ゴルフティーに加えられる衝撃を弾力のあるゴム紐が相殺させながらゴルフティーが元の場所に戻るようにして、ゴルフティーが遠く飛んで行くことを防止することができ、ゴルフティーの識別と回収が容易であり、ゴルフティーの紛失を防止することができ、サイズの異なる２つのゴルフティーを１つのゴム紐に連結してロングショットやショートショットなどに対応して選択的に便利に使用できることは勿論、突出片を用いて凹んでいるグリーンの補修とティーショットの方向指示に使用することができ、ボールマーカーをディボットツールに着脱可能に付着してゴルフティーと一緒に携帯及び使用が簡便なゴルフティーセットに関する本考案を完成させた。
【００２１】
以下、図面を参照して本考案の構成について実施形態を中心にして詳細に説明する。
【００２２】
本考案の実施形態に従うゴルフティーセットは、図２ａ乃至図３に示すように、ロングティー１０、ディボットツール（Divot Tool）２０、及びゴム紐３０を含んでなり、ショートティー４０とボールマーカー５０がさらに含まれる。
【００２３】
前記ロングティー１０は、縦方向に細い厚さを有するティー本体１１と、前記ティー本体１１の上端にゴルフボールＢを載せるように形成された安着台１２と、前記ティー本体１１の下端にとがっている形状を有するように形成された挿入具１３を含んでなり、前記挿入具１３を地面Ｇに挿入して挿した後、前記安着台１２の上にゴルフボールＢを載せた後にティーショットをする。
【００２４】
この際、前記ティー本体１１は外周面に複数個の筋羽根１１ａが長手方向に形成されて、通常的に軟質の合成樹脂で製造された前記ロングティー１０を地面Ｇに挿入する時に力を加えることができるので、容易に挿すことができる。
【００２５】
前記ディボットツール２０は比較的重さの重い金属からなることが好ましく、図４ａ及び図４ｂに示すように、前記ロングティー１０が前記ディボットツール２０に弾力のあるゴム紐３０と連結されることによって、ゴルフボールＢの打撃時に前記ロングティー１０に加えられる衝撃を弾性力のあるゴム紐３０が相殺させながら前記ロングティー１０が元の場所に戻るので、ロングティー１０の識別と回収が容易であり、併せて、ロングティー１０の紛失を防止することができる効果がある。
【００２６】
これと共に、好ましくは前記ディボットツール２０はステンレス材質を使用して錆がつかないで、長期間使用できるようにすることができる。
【００２７】
また、前記ディボットツール２０は内部に挿入ホール２１が形成され、前面にボールマーカー５０のマーカー突起５１が前記挿入ホール２１を通じて後面に結合される支持板２３と着脱可能に結合され、かつ前記マーカー突起５１は前記支持板２３に突出形成され、内側が凹入形成された支持具２３ａと前記挿入ホール２１を通じて締結される。
【００２８】
ここで、前記ボールマーカー５０はゴルフ競技中にグリーンでゴルフボールＢの位置を表示するために使われるものであって、従来にはロングティー１０と別途にポケットなどに入れて保管及び携帯して使用したが、小銭程度の小さいサイズを有しているので、必要時に毎度取り出して使用することが面倒であり、紛失の危険もあるところ、本考案の実施形態では前記ボールマーカー５０をディボットツール２０に着脱可能に付着してロングティー１０と一緒に携帯及び使用することができるので簡便であり、紛失の危険を減少させることができる。
【００２９】
延いては、図２ｂに示すように、前記ディボットツール２０は上面または後面に挿入溝２６が形成されることができ、前記挿入溝２６には情報伝達、広告、及び販促などのための字、ロゴ、写真、及び絵などが印刷された挿入板２７が挿入付着される。
【００３０】
併せて、前記ディボットツール２０は一側に突出片２４が形成され、前記突出片２４は二股からなるように形成されることが好ましいところ、前記突出片２４を用いて凹んでいるグリーンを補修することができ、併せてティーショットの方向指示に使用してゴルフボール打撃時に目標とする正確な方向にゴルフボールを送ることに助けになることができる。
【００３１】
前記ゴム紐３０は、前記ロングティー１０とショートティー４０、または前記ロングティー１０とディボットツール２０、及びショートティー４０を互いに連結して、ティーショット後にゴルフティーの紛失を防止する機能をする。
【００３２】
即ち、ゴルフボール打撃時、ゴルフティーに加えられる衝撃を弾力のあるゴム紐３０が相殺させながらゴルフティーが遠く飛んで行くことを防止して、ゴルフティーの識別と回収が容易であり、ゴルフティーの紛失を防止することができる。
【００３３】
そして、前記ディボットツール２０は前記ゴム紐３０が連結される連結具２５が外側に突出形成されることが好ましいところ、これは連結具が前記ディボットツール２０の内側に形成される場合、前記ボールマーカー５０が前記ディボットツール２０の着脱溝２２への脱着に邪魔になるためである。
【００３４】
また、前記ゴム紐３０にはショートティー４０が連結されることが好ましいところ、前記ゴム紐３０の一端に前記ロングティー１０が連結され、他端に前記ショートティー４０が連結されるものである。
【００３５】
併せて、前記ディボットツール２０が結合されることなく、前記ゴム紐３０の一端及び他端に各々ゴルフティーが連結できるところ、例えば一端にはロングティーが連結され、他端にはショートティーが連結されることによって、互いに異なるサイズを有する２つのゴルフティーを１つのゴム紐に連結してロングショットやショートショットなどに柔軟に対応して１つのゴルフティーを固定したまま、残りの１つのゴルフティーにゴルフボールを載せて選択的に便利に使用することができる。
【００３６】
前記ショートティー４０は軟質の合成樹脂からなり、上部にゴルフボールを載せる安着台４１が形成され、下部に前記安着台４１を支える支え台４２が形成されて、前記支え台４２を地面Ｇに置いた後、前記安着台４１の上にゴルフボールＢを載せてティーショットをするものである。
【００３７】
結局、本考案に従うゴルフティーセットは、ゴルフボールの打撃時、ゴルフティーに加えられる衝撃を弾力のあるゴム紐が相殺させながらゴルフティーが元の場所に戻るようにして、ゴルフティーが遠く飛んで行くことを防止することができ、ゴルフティーの識別と回収が容易であり、ゴルフティーの紛失を防止することができ、サイズの異なる２つのゴルフティーを１つのゴム紐に連結してロングショットやショートショットなどに対応して選択的に便利に使用できることは勿論、突出片を用いて凹んでいるグリーンの補修とティーショットの方向指示に使用することができ、ボールマーカーをディボットツールに着脱可能に付着してゴルフティーと一緒に携帯及び使用が簡便であり、紛失の危険が減少するものである。
【００３８】
本考案の前記実施形態は１つの例示として本考案がここに限定されるものではない。本考案の実用新案登録請求範囲に記載された技術的思想と実質的に同一な構成を有して同一な作用効果をなすものは、如何なるものであっても本考案の技術的範囲に含まれる。
【符号の説明】
【００３９】
１    従来のゴルフティー
２    本体支え台
３    積層支え台
４    連結紐
１０    ロングティー
１１    ティー本体
１１ａ    筋羽根
１２    定着台
１３    挿入具
２０    ディボットツール
２１    挿入ホール
２３    支持板
２３ａ    支持具
２４    突出片
２５    連結具
２６    挿入溝
２７    挿入板
３０    ゴム紐
４０    ショートティー
４１    安着台
４２    支え台
５０    ボールマーカー
５１    マーカー突起
Ｂ    ゴルフボール
Ｇ    地面
【図１】
0003189371.tif 000003
【図２ａ】
0003189371.tif 000004
【図２ｂ】
0003189371.tif 000005
【図３】
0003189371.tif 000006
【図４ａ】
0003189371.tif 000007
【図４ｂ】
0003189371.tif 000008